【手続補正書】
【提出日】平成28年5月4日(2016.5.4)
【手続補正１】
【補正対象書類名】特許請求の範囲
【補正対象項目名】全文
【補正方法】変更
【補正の内容】
【特許請求の範囲】
【請求項１】
少なくとも１つのリソースを含む第１電子実体において、通信セッションを認証する方法であって、該方法は：
第２電子実体から仕様を受け取る工程であって、前記仕様は、ハードウェア構造を含み；前記仕様は前記第１電子実体内で領域を区分するためのものであり；前記領域は、前記通信セッション中に前記第２電子実体により前記第１電子実体を認証するために使用され、又は、前記領域は、前記通信セッション中に前記第１電子実体により前記第２電子実体を認証するために使用される、工程；
前記仕様に従って前記領域を区分する工程であって、前記領域は、前記第１電子実体及び前記第２電子実体への前記通信セッションに固有であり；前記領域は少なくとも１つのハードウェアリソースを含む、工程；及び
前記第２電子実体に、前記領域へのアクセス権を提供する工程
を含み；
ここで、前記アクセス権は、前記第２電子実体により前記第１電子実体を認証するために使用され；前記認証の操作は、前記第２電子実体によって前記領域内で機能を実行する工程、及び前記第２電子実体により前記領域及び前記第１電子実体を監視する工程を含み、又は
前記アクセス権は、前記第１電子実体により前記第２電子実体を認証するために使用され；前記認証の操作は、前記第２電子実体が前記領域内で機能を実行するのを可能にする工程、及び１以上のリソースにより前記第２電子実体の操作を監視する工程を含む
方法。
【請求項２】
前記少なくとも１つのハードウェアリソースは、メモリパーティション、ディスクパーティション、チップパーティション、コントロールリソース、アナログコンポーネント、デジタルコンポーネント、シグナル、ミックスシグナル、及びハードウェアロジックから成る群の一種である、ことを特徴とする請求項１に記載の方法。
【請求項３】
前記第２電子実体を連続的に認証する工程を更に含み、ここで、前記認証は、前記１以上のリソースによる前記第２電子実体の操作を監視する工程を含む、ことを特徴とする請求項１に記載の方法。
【請求項４】
前記認証のために前記少なくとも１つのリソースを区分する前に前記少なくとも１つのリソースを決定するために、前記第２電子実体と交渉する工程を更に含む、ことを特徴とする請求項１に記載の方法。
【請求項５】
前記第２電子実体との通信セッションを確立する工程；
前記通信セッション中に前記第２電子実体と通信するための通信プロトコルを生成するために、前記第２電子実体と連続的に交渉する工程；及び
前記セッション中に前記通信プロトコルを連続的に変更する工程
を更に含むことを特徴とする請求項１に記載の方法。
【請求項６】
課金のために前記通信プロトコルを利用する工程、又は前記課金中に課金の特性を変化させ、それにより安全な課金を提供する工程を更に含み；ここで、前記課金は、前記通信セッション中に変更され、それにより安全な課金を提供する、ことを特徴とする請求項５に記載の方法。
【請求項７】
前記第２電子実体を監視する又はそれと対話するために前記少なくとも１つのリソースを利用する工程、前記監視により前記第２電子実体を認証する工程、及び、前記第２電子実体の操作の変化を監視するために前記少なくとも１つのリソースを利用すること、前記第２電子実体のユーザーの行動の変化を監視するために前記少なくとも１つのリソースを利用すること、並びに前記第２電子実体の環境の変化を監視するために前記少なくとも１つのリソースを利用することから成る群の一種に従い前記第２電子実体を証明する工程、を更に含む、請求項１に記載の方法。
【請求項８】
前記第２電子実体との通信セッションを確立する工程；
通信プロトコルの特徴を決定するために前記第２電子実体と交渉する工程；
前記第２電子実体と通信し、且つ前記セッションの特徴に前記通信プロトコルを適合させるために前記通信プロトコルを利用する工程であって、前記特徴は、ユーザーの行動、電子実体の行動、領域の行動、及び環境の変化、前記第１電子実体と前記第２電子実体の操作の変化から成る群の一種である、工程
を更に含む、請求項１に記載の方法。
【請求項９】
電子実体であって、該電子実体は、少なくとも１つのハードウェアリソースを含み、前記電子実体は、第２電子実体から仕様を受け取るように操作自在であり；前記仕様はハードウェア構造を含み、前記仕様は前記第１電子実体内で領域を区分するためのものであり；前記領域は、少なくとも１つのハードウェアリソースを含み；前記領域は、通信セッション中に前記第２電子実体により前記第１電子実体を認証するためのもの、或いは、通信セッション中に前記第１電子実体により前記第２電子実体を認証するためのものであり；前記電子実体は更に、前記仕様に従い前記領域を区分するように操作自在であり；前記領域は、前記第１電子実体及び前記第２電子実体への前記通信セッションに固有であり；及び
ここで、前記電子実体は更に、前記第２電子実体に前記領域へのアクセス権を提供するように操作自在であり、前記アクセス権は前記第２電子実体により前記第１電子実体を認証するためのものであり；前記認証は、前記第２電子実体により前記領域内で機能を実行する工程、又は前記第２電子実体により前記領域を監視又は対話する工程を含み；或いは、前記アクセス権は、前記第１電子実体により前記第２電子実体を認証するためのものであり；前記認証は、前記第２電子実体が前記領域内で機能を実行するのを可能にする工程、及び前記領域において前記第２電子実体の操作を監視する工程を含む
電子実体。
【請求項１０】
電子実体であって、該電子実体は、少なくとも１つのコントロールリソース、又はチップパーティション、又はハードウェアロジックを含み；前記電子実体は更にメモリパーティション又はディスクパーティションを含み；
前記電子実体は更に、通信ユニットと処理ユニットとを含み；前記通信ユニットは、第２電子実体から仕様を受け取るように操作自在であり；前記仕様は第１電子実体において領域を区分するためのものであり；
前記処理ユニットは、前記仕様に従って前記領域を区分するように操作自在であり；前記領域は、少なくとも１つのコントロールリソース、又はチップパーティション、又はハードウェアロジックを含み；前記領域は更に、前記メモリパーティション又は前記ディスクパーティションを含み；前記領域は、前記第１電子実体及び前記第２電子実体へのセッションに固有であり；及び
前記処理ユニットは更に、前記領域の前記メモリパーティション又は前記ディスクパーティションにデータを配するために前記領域へのアクセス権を前記第２電子実体に提供するように操作自在であり；前記アクセス権は前記データへのアクセスを前記第２電子実体に提供するためのものであり；前記領域は、前記第２電子実体により連続的に制御及び監視され；前記コントロールリソース、又はチップパーティション、又はハードウェアロジックは、前記領域を認証するために前記第２電子実体により起動されるか又は対話を行い、前記第１電子実体は、前記第２電子実体により連続的に制御され、又は監視され、又は対話を行い、それにより前記データへのアクセスを確保する
電子実体。
【請求項１１】
第１電子実体において、第２電子実体と通信する方法であって、該方法は：
前記第２電子実体から仕様を受け取る工程であって、前記仕様は、前記第１電子実体において領域を区分するためのものであり；前記領域は、前記第２電子実体との通信セッションを行うためのもの、及び前記第２電子実体により前記第１電子実体を認証するためのものである、工程；
前記仕様に従って前記領域を区分する工程であって、前記領域は、少なくとも１つのコントロールリソース、又はチップパーティション、又はハードウェアロジック、及びメモリパーティション又はディスクパーティションを含み；前記領域は、前記第１電子実体及び第２電子実体への前記通信セッションに固有である、工程；
前記第２電子実体に、前記領域へのアクセス権を提供する工程；及び
前記第２電子実体に前記データへのアクセス権を提供するために、前記領域の前記メモリパーティション又は前記ディスクパーティションにデータを配する工程であって、前記コントロールリソース、又はチップパーティション、又はハードウェアロジックは、前記領域を認証するために前記第２電子実体により起動され、前記第１電子実体は、前記第２電子実体により連続的に制御され、又は監視され、又は対話を行い、それにより前記データへのアクセスを確保する、工程
を含む、方法。
【請求項１２】
前記区分する工程は更に、前記第１電子実体と前記第２電子実体の間での交渉に従う、ことを特徴とする請求項１１に記載の方法。
【請求項１３】
前記アクセス権は、前記少なくとも１つのリソースがアクセスされる、ポートの、アドレスマップの、又は対話のパラメータを含む、ことを特徴とする請求項１１に記載の方法。
【請求項１４】
前記少なくとも１つのリソースはメモリを含み、前記機能は書き取り又は読み取りを含む、ことを特徴とする請求項１に記載の方法。
【請求項１５】
前記電子実体はチップである、ことを特徴とする請求項１１に記載の方法。
【請求項１６】
前記リソースは、コントローラー、ＳｏＣ（Ｓｙｓｔｅｍ  ｏｎ  Ｃｈｉｐ）、ＤＳＰ（Ｄｉｇｉｔａｌ  Ｓｉｇｎａｌ  Ｐｒｏｃｅｓｓｉｎｇ）、ＣＰＵ、及びモデムから成る群の一種である、ことを特徴とする請求項１１に記載の方法。